(57)【要約】【課題】製造コストを下げると共に作業能率を大幅に向上させ、更に天井ボードにおいてその存在を目立たなくする。【解決手段】扁平で且つ中央部にドライバーの刃先の差込み凹部３を形成した、所要の大きさを有する覆い部２の前記ドライバーの刃先の差込み凹部３と反対側の面に、円筒状の穴差込み部５を一体成形する。該円筒状の穴差込み部５は、その先端側を若干窄めており、また穴の径と深さに適合する直径と長さを有する。そして、該円筒状の穴差込み部５の外周面に、ねじ山の先端が天井ボードの穴の内面に食い込むねじ６を形成する。【選択図】図１
0003116792.tif 000002
【実用新案登録請求の範囲】
【請求項１】
扁平で且つ中央部にドライバーの刃先の差込み凹部を形成した、所要の大きさを有する覆い部の前記ドライバーの刃先の差込み凹部と反対側の面に、先端側が若干窄まった、穴の径と深さに適合する直径と長さを有する円筒状の穴差込み部を一体成形すると共に、該円筒状の穴差込み部の外周面に、ねじ山の先端が天井ボードの穴の内面に食い込むねじを形成してなる天井ボードの不要穴覆い具。
【請求項２】
覆い部における円筒状の穴差込み部との接点部分を、所要の深さ及び幅に窪ませてなる請求項１記載の天井ボードの不要穴覆い具。
【考案の詳細な説明】
【技術分野】
【０００１】  本考案は天井ボードの不要穴覆い具に関するものである。
【背景技術】
【０００２】  部屋の天井に取り付けられる内装材としての天井ボードには、照明器具やスプリンクラー等の各種の器具が設置される。そして、それらの器具は、不要になったり、位置をずらすため等で取り外すと、設置されていた元の場所に電線引き込み用等の穴がそのまま残ることになる。そしてまた、残ったそれらの不要な穴は、天井ボードのキズとして残り、中には相当大きな穴もあることから、非常に見苦しい。【０００３】  このことから、従来にあっては図１０乃至図１２に示した覆い具によってこれに対処していた。即ち、該覆い具１００は、先ず図１０に示す如く、天井ボードＴに残った不要な穴Ｔ１の外側に、これを挟むようにして２本のアンカー用ねじ１０１、１０１をねじ込む。尚、該アンカー用ねじ１０１、１０１は、ドライバーの刃先の差込み凹部１０１ａ、１０１ａにビスをねじ込むことができるようになっているものである。次に、図１１に示す如く、方形の保持枠１０２を、それのビス挿通孔１０２ａ、１０２ａに挿通したビス１０３、１０３を前記アンカー用ねじ１０１、１０１にねじ止めすることによって天井ボードＴに固定する。そして最後に、図１２に示す如く、方形の浅い蓋状の覆い１０４を前記方形の保持枠１０２に被せて止めるものである。尚、該方形の浅い蓋状の覆い１０４を方形の保持枠１０２に止めるには、方形の保持枠１０２に設けた複数の係合孔１０２ｂ、１０２ｂに該方形の浅い蓋状の覆い１０４の裏面に設けた係止突起（図示せず。）を差し込んで係止するものである。【０００４】  しかし、斯かる従来の覆い具には、種々の問題点がある。
先ず第１の問題点は、構成部品が多いことである。即ち、アンカー用ねじ１０１、１０１と、プラスチックと金属板からなる方形の保持枠１０２と、プラスチックからなる方形の浅い蓋状の覆い１０４とからなるものであり、穴を１つ隠すためのものとしてはコストがかかり過ぎる点である。【０００５】  次に、第２の問題点は、取り付けるための工程数が多いために、多大な手間と時間がかかり、作業能率が悪い点である。即ち、前記の通りのいくつもの工程を経て取り付けるものであり、そして脚立等に乗った状態で天井を見上げて行う作業であるから、作業能率が悪いと共に作業員の労力負担も大きい。【０００６】  そして、第３の問題点は、穴の大きさに比べて覆い具の部分が大き過ぎ、穴を隠すことはできるものの、却ってこれが目立つようになって見栄えが悪い点である。
【考案の開示】
【考案が解決しようとする課題】
【０００７】  本考案は上記の点に鑑みなされたものであって、部品点数を極力少なくしてコストを下げ、且つまた取り付けも簡単迅速に行うことができるようにして、作業能率の大幅なアップを図ることができると共に作業員の労力負担を軽減し、加えて極力小さくして、天井ボードにおいて穴覆い具の存在を目立たなくすることができるようになした天井ボードの不要穴覆い具を提供せんとするものである。
【課題を解決するための手段】
【０００８】  而して、本考案の要旨とするところは、扁平で且つ中央部にドライバーの刃先の差込み凹部を形成した、所要の大きさを有する覆い部の前記ドライバーの刃先の差込み凹部と反対側の面に、先端側が若干窄まった、穴の径と深さに適合する直径と長さを有する円筒状の穴差込み部を一体成形すると共に、該円筒状の穴差込み部の外周面に、ねじ山の先端が天井ボードの穴の内面に食い込むねじを形成してなる天井ボードの不要穴覆い具にある。【０００９】  また、上記構成において、覆い部における円筒状の穴差込み部との接点部分を、所要の深さ及び幅に窪ませるようになしてもよい。円筒状の穴差込み部の穴への差し込み時に、天井ボードの表面の化粧シートが擦れて削れ、膨らむおそれがあるが、このようになした場合には、若し膨らんだときにこれを逃がすことができる。
【考案の効果】
【００１０】  本考案は、上記の如き構成であり、部品としては本覆い具１つで済むから、従来に比してコストを大幅に下げることができるものである。【００１１】  また、取り付けも、穴にねじ込むだけの簡単な作業で済むから、作業能率を大幅にアップさせることができると共に、作業員の労力負担も大幅に軽減することができるものである。【００１２】  また、覆い部は穴を隠すに足りる程度に極力小さくしているから、天井ボードにおいて穴覆い具の存在を目立たなくすることができるものである。【００１３】  また、覆い部における円筒状の穴差込み部との接点部分を、所要の深さ及び幅に窪ませるようになした場合には、円筒状の穴差込み部の穴への差し込み時に、天井ボードの表面の化粧シートが擦れて削れ、膨らむおそれがあるが、若し膨らんだときにこれを逃がすことができるものである。
【考案を実施するための最良の形態】
【００１４】  本考案を実施するための最良の形態は、扁平で且つ中央部にドライバーの刃先の差込み凹部を形成した、所要の大きさを有する覆い部の前記ドライバーの刃先の差込み凹部と反対側の面に、先端側が若干窄まった、穴の径と深さに適合する直径と長さを有する円筒状の穴差込み部を一体成形すると共に、該円筒状の穴差込み部の外周面に、ねじ山の先端が天井ボードの穴の内面に食い込むねじを形成することにある。
【実施例】
【００１５】  以下、本考案の実施例について説明する。
図１は底面側から看た斜視図、図２は正面図、図３は背面図、図４は左側面図、図５は右側面図、図６は平面図、図７は底面図、図８はＡ−Ａ線断面図、図９は使用状態の断面図である。【００１６】  図中、１は穴覆い具であり、本実施例ではプラスチックによって製作されている。また、色は天井ボードの色に合わせることが望ましく、白色系が好ましい。２は該穴覆い具１における覆い部であり、天井ボードＴの不要穴Ｔ１の開口を覆う部分である。また、該覆い部２は、扁平で且つ中央部にドライバーの刃先の差込み凹部３を形成し、穴の開口に合わせて、これより若干大きくなしている。また、該覆い部２は、本実施例では平面形状円形とし、且つ厚みは３ｍｍ程度としている。また、その周縁部はゆるやかな丸みをもたせている。更にまた、該覆い部２における後記円筒状の穴差込み部との接点は、所要の深さ及び幅に窪ませている。尚、４は窪み部である。【００１７】  ５は前記覆い部２の前記ドライバーの刃先の差込み凹部３と反対側の面に一体成形した円筒状の穴差込み部である。また、該円筒状の穴差込み部５は、先端側が若干窄まっており、そしてまた穴の径と深さに適合する直径と長さを有している。尚、一般的に天井ボードに穿設される穴の径は、２１ｍｍ、２７ｍｍ、３７ｍｍ、４３ｍｍであり、また天井ボードの厚さ、即ち穴の深さは、９ｍｍ、場合によって天井ボードを２枚重ねにする場合があり、その場合にはそれ以上となる場合もある。したがって、これらに対応するものを数種類製作し、現場に適合するものを適宜選択して使用するものである。【００１８】  ６は前記円筒状の穴差込み部５の外周面に形成したねじであり、そのねじ山の先端が天井ボードの穴の内面に食い込むものである。【００１９】  次に、上記実施例の作用について説明する。
穴覆い具１における円筒状の穴差込み部５を、天井ボードＴの不要穴Ｔ１の表面側の開口から浅く差し込み、この状態において覆い部２のドライバーの刃先の差込み凹部３にドライバー（図示せず。）の刃先を差し込んでねじ回すと、円筒状の差込み部５が螺進して穴に深く入り込むものである。そして該円筒状の穴差込み部５の外周面に形成したねじ６におけるねじ山の先端が天井ボードの穴の内面に食い込んで止着されるものである。そしてこれにより覆い部２が穴を覆い隠すものである（図９）。
【図面の簡単な説明】
【００２０】
【図１】本考案の底面側から看た斜視図である。
【図２】本考案の正面図である。
【図３】本考案の背面図である。
【図４】本考案の左側面図である。
【図５】本考案の右側面図である。
【図６】本考案の平面図である。
【図７】本考案の底面図である。
【図８】図６中Ａ−Ａ線断面図である。
【図９】本考案の使用状態の断面図である。
【図１０】従来の穴覆い具の取り付け工程の説明図である。
【図１１】従来の穴覆い具の取り付け工程の説明図である。
【図１２】従来の穴覆い具の取り付け工程の説明図である。
【符号の説明】
【００２１】  １  穴覆い具
２  穴覆い具における覆い部
３  ドライバーの刃先の差込み凹部
４  窪み部
５  穴覆い具における円筒状の穴差込み部
６  円筒状の穴差込み部に形成したねじ
【図１】
0003116792.tif 000003
【図２】
0003116792.tif 000004
【図３】
0003116792.tif 000005
【図４】
0003116792.tif 000006
【図５】
0003116792.tif 000007
【図６】
0003116792.tif 000008
【図７】
0003116792.tif 000009
【図８】
0003116792.tif 000010
【図９】
0003116792.tif 000011
【図１０】
0003116792.tif 000012
【図１１】
0003116792.tif 000013
【図１２】
0003116792.tif 000014